(57)【要約】【目的】  キャップを先端方向に弾撥するバネが、軸筒の環状溝に嵌合したＯリングに当接し、そのＯリングに圧縮力が作用している為、そのＯリングの劣化が著しく激しかった。又、前記Ｏリングは、キャップの振れ止め防止機能、及び、マーキングペンのキャップ嵌合も兼ねていることから、キャップ内のインキ乾燥防止の密閉機能も果たしている。よって、前記Ｏリングの劣化は、密閉にも悪影響を及ぼし、本来の機能を失ってしまう危険性が高かった。【構成】  キャップと軸とを嵌合させる嵌合手段と、互いを吸着させる磁性体と、互いを離脱させる弾撥部材とを配置したキャップ嵌合構造であって、前記嵌合手段と弾撥部材とを離隔した位置に配置したキャップ嵌合構造。【選択図】  図１
2005131994.tif 000002
【特許請求の範囲】
【請求項１】
キャップと軸とを嵌合させる嵌合手段と、互いを吸着させる磁性体と、互いを離脱させる弾撥部材とを配置したキャップ嵌合構造であって、前記嵌合手段と弾撥部材とを離隔した位置に配置したことを特徴とするキャップ嵌合構造。
【請求項２】
前記磁性体を磁気遮断手段によって被覆したことを特徴とする請求項１記載のキャップ嵌合構造。
【請求項３】
前記キャップと軸を吸着させる磁性体の吸着力よりも、キャップと軸を離脱させる弾撥部材の弾撥力を小さくしたことを特徴とする請求項１、或いは、請求項２に記載のキャップ嵌合構造。
【発明の詳細な説明】
【技術分野】
【０００１】
本発明は、キャップと軸とを嵌合させる嵌合手段と、互いを吸着させる磁性体と、互いを離脱させる弾撥部材とを配置したキャップ嵌合構造に関する。さらに詳細には、本発明は、ボールペン、万年筆、サインペン、マーキングペン等の筆記具において、磁性体を利用した筆記具のキャップ嵌合構造に関する。
尚、本発明で「前」とは筆記具本体のペン先側及びキャップ本体の閉塞側を指し、「後」とは筆記具本体の尾端側及びキャップ本体の開口側を指す。
【背景技術】
【０００２】
従来から、キャップと軸筒を磁力によって嵌合させる考案は幾つかある。しかし、多くは単にキャップと軸筒のそれぞれに磁石を配置して嵌合させる考案であった。しかし、一般的なキャップ嵌合方法である凸凹部の結合による嵌合と比較して、なんら操作性は変わらないものであった。
そこで、操作性の向上を図った考案がなされた。磁石とバネを組合せたものである。軸筒側に配置した移動可能な磁石を後方へ移動すると、キャップ側の磁石と離れ、その結果、磁着が解除されるのである。一方、キャップ内方には、キャップ嵌合時において圧縮されるバネが配置されている。よって、磁着解除時、キャップはバネの弾撥力で先端方向に弾撥され、キャップが簡単に軸筒より離脱するのである（特許文献１参照）。
【特許文献１】実開昭６２−２２８８３号公報
【発明の開示】
【発明が解決しようとする課題】
【０００３】
しかしながら、前記従来の技術にあっては、キャップを先端方向に弾撥するバネが、軸筒の環状溝に嵌合したＯリングに当接し、そのＯリングに圧縮力が作用している為、そのＯリングの劣化が著しく激しかった。又、前記Ｏリングは、キャップの振れ止め防止機能、及び、マーキングペンのキャップ嵌合も兼ねていることから、キャップ内のインキ乾燥防止の密閉機能も果たしている。よって、前記Ｏリングの劣化は、密閉にも悪影響を及ぼし、本来の機能を失ってしまう危険性が高かった。
【０００４】
又、前記従来技術の磁性体は、外部に対して剥き出した状態で配置されている。然るに、この様な筆記具と、キャッシュカードなどの磁気カードやフレキシブルディスクなどの磁気記録媒体とを近い場所に設置してしまうと、それらの機器に悪影響を及ぼしてしまうことがあり、強いては、使用が不可能となってしまう危険性もあった。
【課題を解決するための手段】
【０００５】
本発明は、キャップと軸とを嵌合させる嵌合手段と、互いを吸着させる磁性体と、互いを離脱させる弾撥部材とを配置したキャップ嵌合構造であって、前記嵌合手段と弾撥部材とを離隔した位置に配置したことを要旨とするものである。
【発明の効果】
【０００６】
本発明は、キャップと軸とを嵌合させる嵌合手段と、互いを吸着させる磁性体と、互いを離脱させる弾撥部材とを配置したキャップ嵌合構造であって、前記嵌合手段と弾撥部材とを離隔した位置に配置したので、嵌合部に弾撥部材の作用を与えることなく、もって、経時的に安定した嵌合力を得ることができる。
【発明を実施するための最良の形態】
【０００７】
以下、図面に基づき説明する。図１に示したものは、本発明の嵌合構造を備えた万年筆である。後軸１は、合成樹脂や真鍮などの材質よりなり、内部にインキを貯蔵したインキカートリッジ４を収容した軸筒である。後軸１の前側内方には、螺子部１ａが設けられている。又、外周に外鍔１ｂも設けられている。前軸２は、後側外周に螺子部２ａが設けられ、前記後軸１の螺子部１ａと螺合している。前軸２の内方には、インキが通過する溝や櫛歯状の一時的にインキを蓄えるインキ貯留部などが形成されている合成樹脂のペン芯（図示せず）が配置されている。そのペン芯は、ペン先３と重合され前軸２に固定されている。そして、ペン芯の後部に接続されたインキカートリッジ４内のインキがペン芯のインキ溝を通ってペン先３に供給される。
後軸１の外方には、リング５が配置されている。そのリング５の材質は、磁気シールド効果を得るため高透磁率材料を採用することが望ましく、その高透磁率材料で磁性体６の外周を覆うように配置することがより好ましい。ちなみに、高透磁率材料は内部に磁力線を通しやすいので、一度入った磁力線は、その高透磁率材料が磁気飽和を起こさない限り、外部に放出する事はなく磁気シールド効果を得られるようになる。その高透磁率材料の例としては、鉄が一例として挙げられる。この様に、高透磁率材料を使用することによって、使用する磁力による外部機器（１例として、キャッシュカードのような磁気カードやフレキシブルディスクのような磁気記録媒体）などへの影響を極力防止することができる。
又、前記リング５の最後部の内側には鍔状の縮径部５ａがあり、前記後軸１の外鍔１ｂと係合している。即ち、この縮径部５ａと外鍔１ｂとの係合によって、リング５の前方へ移動が規制されている。ここで、リング５の前端内方には、磁性体（例えば、一般的に称される“磁石”）６が固定されている。その磁性体６は、リング５の内周面に沿ったリング状であっても良く、リング５の内周面に部分的に固定した磁性体であっても良い。さらに、リング５の内方であって、前記後軸１の外鍔１ｂと磁性体６のと間には、コイルスプリングなどからなるバネ７が張設されている。つまり、リング５は、バネ７によって前側方向に付勢されているが、後軸１に対して前後動が可能のものとなっている。
【０００８】
前記前軸２には、キャップ８が着脱自在に挿着されている。そのキャップ８は、筒体形状をなしており、その前部には頭冠９が固定されている。その頭冠９には種々の方法で固定されたクリップ１０が配置されているが、頭冠９を樹脂で成形した場合には頭冠９とクリップ１０を一体成形などしても良い。又、前記キャップ８の後端内方には、磁性体１１が固定されている。その磁性体１１は、前記磁性体６と同様にリング状をなしているが、リング状に限定されることはなく、例えば、Ｃ字形状や部分的に配置されていても良い。尚、キャップ８の材質は、前述したように、リング５と同様な高透磁率材料で形成することが好ましい。
更に、キャップ８の内方には内鍔８ａが設けられ、その後方には内キャップ１２が配置されているが、それら内鍔８ａと内キャップ１２との間には、バネ１３が張設されており、そのバネ１３の両端は前記内鍔８ａの内壁と、内キャップ１２に各々が固定されている。尚、内キャップ１２は、キャップ８が嵌合された（閉まった）状態では、前軸２の前端に当接し、これにより内キャップ１２に固定されたバネ１３は圧縮された状態にあり、前側方向に付勢されている。つまり、キャップ８は、バネ１３によって前軸２から離脱する方向へと付勢されているが、互いに固定された磁性体６、１１によって、その離脱作用が阻止されているのである。
符号１４はキャップ８内に配置された振れ止め弾撥部材１４であって、その振れ止め弾撥部材１４は内側に向かって太鼓状に反り返った形状をなしており、弾撥力を有している。キャップ８と前軸２との嵌合において、それらキャップ８と前軸２とのガタつき（振れ）や、キャップ８の内壁による前軸２の外周へのキズを防止している。又、振れ止め弾撥部材１４と内キャップ１２との間には、隙間が形成されており、直接、接触しない構造となっている。つまり、バネ１３の弾性力による振れ止め弾撥部材１４への付勢作用を防止しているのである。
【０００９】
次に、嵌合動作について説明する。キャップ８が前軸２を覆うように後方へ向かって移動すると、内キャップ１２は前軸２の前端に当接し、これにより内キャップ１２に固定されたバネ１３が圧縮され、キャップ８と前軸２を離脱させる状態になる。更に、キャップ８が後方へ向かって移動すると、キャップ８に固定された磁性体１１とリング５に固定された磁性体６の磁力により互いが吸着し、この吸着動作によってキャップ８は簡単に、しかも確実に前軸２に嵌合される。ここで、磁性体同士の磁力による吸着力の方が、バネ１３が圧縮されている弾撥力よりも高いことは言うまでもない。
キャップ８の嵌前軸２に対する嵌合を解除（キャップを外す）する時は、リング５を後側方向へスライド移動させる。この時、リング５の後退動作に伴って、キャップ８も後退しようとするが、そのキャップ８に固定されている磁性体１１の内径は、後軸１の前方端面の外径より小さく形成されているので、前記磁性体１１が後軸１の前方端面に当接・規制されキャップ８の後側方向への移動が阻止される（図２参照）。
しかし、リング５に固定された磁性体６が、磁性体１１に対し徐々に離れる為、各々の磁力による吸着力が徐々に減少すると共に、バネ７は圧縮された状態になる。ここで、
更に、磁性体６、１１の距離が離れて、磁力による吸着力の減少が増すと、キャップ８と前軸２との嵌合が解除され、前記バネ１３の弾撥力によって前方へと引き抜かれる。磁性体同士の磁力による吸着力よりもバネ１３の圧縮による弾撥力の方が高くなった為である。
ここで、キャップ８と前軸２との嵌合が解除された後、リング５を開放すると、圧縮された状態にあるバネ７の弾撥力によって、リング５が元の位置へと復帰する。
【００１０】
図３は、後軸１にキャップ８を嵌合した例である。キャップ８の内方に配置した振れ止め弾撥部材１４は、後軸１の後部に自らの弾撥力によって圧入・固定されている。尚、嵌合した際には、前記内キャップ１２も後軸１の後部へ当接しバネ１３を若干圧縮するが、そのバネ１３の圧縮力よりも、振れ止め弾撥部材１４の後軸１に対する嵌合力の方が大きい為、キャップ８が抜け出してしまうようなことがない。
尚、以上の例においては、キャップ８とリング５の双方に、磁性体を配置したが、少なくとも一方で良い。しかし、磁性体を一方に配置する場合には、他方は磁性体が吸着できる金属材質、例えば鉄やステンレス、銅、或いは、樹脂材質中に前記の金属を介在させたものとする必要がある。
【図面の簡単な説明】
【００１１】
【図１】本発明による万年筆の要部縦断面図である。
【図２】図１の要部拡大図である。
【図３】本発明による万年筆のキャップが外れる直前の縦断面図である。
【図４】本発明による後部嵌合の要部縦断面図である。
【符号の説明】
【００１２】
１    後軸
１ａ  螺子部
１ｂ  外鍔
２    前軸
３    ペン先  
４    インキカートリッジ
５    リング
５ａ  縮径部
６    磁性体
７    バネ
８    キャップ
８ａ  内鍔
９    頭冠
１０  クリップ
１１  磁性体
１２  内キャップ
１３  バネ
１４  振れ止め弾撥部材
【図１】
2005131994.tif 000003
【図２】
2005131994.tif 000004
【図３】
2005131994.tif 000005
【図４】
2005131994.tif 000006